(57)【特許請求の範囲】
【請求項１】
原稿が載置されるプラテンガラスが設けられた第１の筐体部と、
光電変換を行う画像読み取り手段が設けられた第２の筐体部と、
原稿を搬送する原稿送り部と、
前記第１の筐体部と前記第２の筐体部とを回動可能に連結する筐体連結部とを備え、
前記第１の筐体部と前記第２の筐体部とが略直角に連結されている状態で前記プラテンガラス上の原稿からの反射光が前記画像読み取り手段へ入光し、前記第１の筐体部と前記第２の筐体部とが略平行に連結されている状態で前記原稿送り部が搬送する原稿からの反射光が前記画像読み取り手段へ入光するように構成されている
ことを特徴とする画像読取装置。
【請求項２】
原稿を照射する照射手段および該照射手段の照射により得られる前記原稿からの反射光の光軸方向を変える第１のミラーを搭載し、前記プラテンガラスに沿って前記第１の筐体部内を移動する第１のキャリッジと、
前記第１のミラーからの反射光の光軸方向を変える第２のミラーと、
前記第２のミラーからの反射光の光軸方向を変える光軸方向変換ミラーを搭載し、前記第２の筐体部内を移動する第２のキャリッジと、
前記第１の筐体部と前記第２の筐体部とが略平行に連結されている場合に前記第１キャリッジを予め定められた基準位置に位置させるキャリッジ移動手段と、
前記基準位置に位置する第１キャリッジの照射手段が、前記原稿送り手段によって搬送される原稿を照射すると、該照射により得られる反射光を前記光軸方向変換ミラーに入射させる光軸制御手段と
が設けられたことを特徴とする請求項１記載の画像読取装置。
【請求項３】
前記光軸制御手段は、前記第１のミラーおよび前記第２のミラーを予め定められた退避位置に移動させることにより、前記反射光を前記光軸方向変換ミラーに入射させるものである
ことを特徴とする請求項２記載の画像読取装置。
【請求項４】
前記光軸制御手段は、前記キャリッジ移動手段が前記第１キャリッジを前記基準位置に位置させると、前記第１のミラーおよび前記第２のミラーを前記退避位置に移動させるものである
ことを特徴とする請求項３記載の画像読取装置。
【請求項５】
前記光軸制御手段は、前記第１の筐体部と前記第２の筐体部とが回動され互いに略平行をなすと、前記第１のミラーおよび前記第２のミラーを前記退避位置に移動させるものである
ことを特徴とする請求項３記載の画像読取装置。
【請求項６】
原稿が載置されるプラテンガラスを有する第１の筐体部と、原稿を順次搬送する原稿送り部と、該原稿送り部によって搬送される原稿から該原稿上の画像を読み取るための原稿読取部を有する第２の筐体部とを有し、前記第１の筐体部は前記第２の筐体部に対して引き出した状態と折り畳んだ状態にすることが可能である画像読取装置であって、
前記第１の筐体部を前記第２の筐体部に対して折り畳んだ状態で前記原稿読取部により前記原稿送り部が搬送する原稿を読み取る原稿移動型の画像読取機能および前記第１の筐体部を前記第２の筐体部に対して引き出した状態とすることによって略水平となった前記プラテンガラス上に載置された原稿を読み取る原稿固定型の画像読取機能を有する
ことを特徴とする画像読取装置。
【請求項７】
反射光を受け取って光電変換を行う光電変換手段を有し、この光電変換手段は、前記原稿移動型の画像読取機能および前記原稿固定型の画像読取機能の両方において用いられるものである
ことを特徴とする請求項６記載の画像読取装置。
【請求項８】
前記光電変換手段は、前記第２の筐体部に設けられる
ことを特徴とする請求項７記載の画像読取装置。
【請求項９】
前記原稿固定型の画像読取機能の場合に、原稿からの反射光の光軸方向を前記光電変換手段に向けて変更するためのミラーを有する
ことを特徴とする請求項７または８記載の画像読取装置。
【発明の詳細な説明】
【０００１】
【発明の属する技術分野】
本発明は、例えば複写機、ファクシミリ装置、あるいはコンピュータ用の入力装置（スキャナ装置）などにおいて用いられ、原稿からこの原稿に描かれている画像をイメージデータとして読み取る画像読取装置に関するものである。
【０００２】
【従来の技術】
従来、画像読取装置としては、大きく分けて、いわゆる原稿移動型のものと原稿固定型のものとが広く知られている。
【０００３】
原稿移動型の画像読取装置は、例えばファクシミリ装置において多く用いられるもので、固定された光学系と、シート状の原稿を搬送する原稿搬送手段とを備え、読み取り対象となる原稿を移動させることで、その原稿に対する走査を行うものである。このような原稿移動型の画像読取装置では、光学系が固定であるため装置の小型化が比較的容易であるが、原稿の送りを利用して走査を行うので読み取り画質の向上が難しく、さらには本や冊子等の綴じた状態の原稿に対する読み取りを行うことができない。
【０００４】
一方、原稿固定型の画像読取装置は、例えば複写機において多く用いられるもので、移動可能な光学系と、シート状の原稿あるいは綴じた状態の原稿を載置するためのプラテンガラスとを備え、光学系の全部または一部がプラテンガラスに沿って移動することで、プラテンガラス上の原稿に対する走査を行うものである。
【０００５】
例えば図３に示す一般的な構成の原稿固定型画像読取装置５０では、プラテンガラスＰ上に原稿が載置されると、そのプラテンガラスＰに沿って移動可能で、かつ、原稿を照射するランプ５１ａを搭載した第１キャリッジ５１が、プラテンガラスＰ上の原稿を走査（図中ＳＣＡＮ方向に移動）する。そして、その原稿に描かれている画像を、第１キャリッジ５１に取り付けられたミラー５１ｂと、この第１キャリッジ５１の１／２の速度で移動する第２キャリッジ５２に取り付けられたミラー５２ａおよびミラー５２ｂとを介して、ＣＣＤ（Ｃｈａｒｇｅ  Ｃｏｕｐｌｅｄ  Ｄｅｖｉｃｅ）センサ５３が読み取るようになっている。
【０００６】
このような原稿固定型の画像読取装置では、第１キャリッジ５１および第２キャリッジ５２の移動を利用して走査を行うので高精度な走査が可能となり、結果として読み取り画質の向上を実現でき、しかも綴じた状態の原稿であっても読み取ることができる。ところが、原稿固定型の画像読取装置では、第１キャリッジ５１および第２キャリッジ５２を移動させるための機構が必要となるので、原稿移動型の場合に比べて装置の大型化を招いてしまい、結果として大きな占有面積を必要としてしまう。
【０００７】
そのために、近年では、原稿固定型の利点を生かしながら、小さな占有面積で設置できる画像読取装置が要望されている。これに対し、例えば特開昭６３−３１１８５８号公報には、綴じた状態の原稿であっても読み取りを可能し、かつ、小さな占有面積で設置可能にするために、回動可能な原稿ガラスと、この原稿ガラスの上面を摺動自在に設けられた読取ヘッドとを有する装置が開示されている。この装置によれば、原稿ガラスを水平に配置させた状態でこの原稿ガラスを読み取り対象となる原稿の上に重ね合わせ、その状態で読取ヘッドを移動させて原稿の画像を読み取ることにより、綴じた原稿に対する読み取りを可能にするとともに、非使用時には、原稿ガラスを起立させることで装置全体の平面積を小さくすることができる。
【０００８】
【発明が解決しようとする課題】
しかしながら、上述した特開昭６３−３１１８５８号公報に記載の装置では、読取ヘッドが原稿ガラス上を移動する際に、この読取ヘッドが装置外に露出してしまうために、読取ヘッドの移動速度の変動を招きやすくなってしまい、結果として高画質の読み取りができなくなってしまう可能性がある。また、原稿読み取りにあたって、読み取り対象となる原稿を原稿ガラスによって上から覆う必要があるため、原稿の正確な位置決めが困難であり、高機能化や高画質化の実現が容易であるとはいえない。
【０００９】
しかも、原稿読み取りにあたって、読み取り対象となる原稿を載置しておく台（例えば机）等が必要であるため、使用できる環境が限られてしまい、結果として汎用性が低いものとなってしまう。さらには、読取ヘッドが装置外に露出してしまうので、安全性の面で問題が生じる可能性がある。
【００１０】
つまり、上述した特開昭６３−３１１８５８号公報に記載の装置では、小さな占有面積で設置可能であっても、読み取りの高画質化を実現しているとは言えない。
そこで、本発明は、小さな占有面積で設置可能であり、しかも高画質の読み取りや綴じた状態の原稿に対する読み取りを確実に実現できる画像読取装置を提供することを目的とする。
【００１１】
【課題を解決するための手段】
本発明は、上記目的を達成するために案出された画像読取装置で、原稿が載置されるプラテンガラスが設けられた第１の筐体部と、光電変換を行う画像読み取り手段が設けられた第２の筐体部と、原稿を搬送する原稿送り部と、前記第１の筐体部と前記第２の筐体部とを回動可能に連結する筐体連結部とを備え、前記第１の筐体部と前記第２の筐体部とが略直角に連結されている状態で前記プラテンガラス上の原稿からの反射光が前記画像読み取り手段へ入光し、前記第１の筐体部と前記第２の筐体部とが略平行に連結されている状態で前記原稿送り部が搬送する原稿からの反射光が前記画像読み取り手段へ入光するように構成されていることを特徴とするものである。
【００１２】
上記構成の画像読取装置では、第１の筐体部と第２の筐体部とが略直角に連結されている状態でプラテンガラス上の原稿からの反射光が画像読み取り手段へ入光するように構成されているので、その状態においては、いわゆる原稿固定型の画像読取装置として機能する。一方、第１の筐体部と第２の筐体部とが略平行に連結されている状態では、原稿送り部が搬送する原稿からの反射光が画像読み取り手段へ入光するように構成されているので、その状態においては、いわゆる原稿移動型の画像読取装置として機能する。
したがって、オフィス等で多く用いられるシート状の原稿については、折り畳んだ状態で読み取ることができるため、例えば作業机の横などに立てて設置しておけば、余分な面積を占有してしまうことがない。また、綴じた原稿に対する読み取りを行う場合や、高画質の読み取りが必要な場合には、第１の筐体部を第２の筐体部から引き出して原稿固定型の画像読取装置として使用するといったこともできるので、ユーザにとっては非常に便利なものとなる。
つまり、上記構成の画像読取装置は、原稿固定型と原稿移動型とのそれぞれの利点を兼ね備えたものであると言える。
【００１３】
【発明の実施の形態】
以下、図面に基づき本発明に係わる画像読取装置について説明する。ただし、ここでは、本発明を、コンピュータ用のイメージデータ入力装置として用いられるスキャナ装置に適用した場合を例に挙げて説明する。
【００１４】
本実施の形態のスキャナ装置（以下、本装置と称す）は、図１および図２に示すように、第１の筐体部１０と、第２の筐体部２０と、原稿送り部３０とを備えて構成されている。ただし、第１の筐体部１０の一端近傍と第２の筐体部２０の一端近傍とは、図示しない筐体連結部（例えばヒンジ機構）によって連結されており、この筐体連結部を支点にして人手により回動可能になっている。
【００１５】
これにより、本装置は、第１の筐体部１０と第２の筐体部２０とが略直角に連結されている状態（以下、引き出した状態と称す）で原稿固定型の画像読取装置として機能し、また第１の筐体部１０と第２の筐体部２０とが略平行に連結されている状態（以下、折り畳んだ状態と称す）で原稿移動型の画像読取装置として機能するようになっている。
以下、原稿固定型の画像読取装置として機能する場合と、原稿移動型の画像読取装置として機能する場合とについて説明する。
【００１６】
ここで、先ず、本装置を引き出した状態、すなわち原稿固定型の画像読取装置として機能する場合について説明する。
図１に示すように、本装置は、引き出した状態において、第１の筐体部１０の長手方向が略水平となり、第２の筐体部２０の長手方向が略鉛直となる。なお、第２の筐体部２０の下端近傍に、第１の筐体部１０と共に引き出し可能な支持片２１を設ければ、第１の筐体部１０を引き出した状態における安定性向上に好適となる。
【００１７】
略水平となる第１の筐体部１０の上面には、原稿が載置されるプラテンガラス１１が設けられているとともに、このプラテンガラス１１上の原稿を照射するランプ１２ａおよびこのランプ１２ａの照射により得られる原稿からの反射光の光軸方向を変える第１のミラー１２ｂを搭載した第１キャリッジ１２が、プラテンガラス１１に沿って移動可能に設けられている。なお、第１キャリッジ１２の移動は、例えば第１の筐体部１０内の図示しない摺動レールによって案内されるものとする。
【００１８】
一方、略鉛直となる第２の筐体部２０には、第１のミラー１２ｂからの反射光の光軸方向を変える第２のミラー２２と、第１キャリッジ１２の１／２の速度で移動する第２キャリッジ２３と、原稿からの反射光を集光させるレンズ２４と、集光された反射光を受けて光電変換を行うＣＣＤセンサ２５とが設けられている。これらのうち、第２キャリッジ２３は、原稿からの反射光をＣＣＤセンサ２５に入射させるための光軸方向変換ミラー、すなわち第３のミラー２３ａおよび第４のミラー２３ｂを搭載しており、第２の筐体部２０内を略鉛直方向に移動することによって、原稿からＣＣＤセンサ２５の受光面までの距離（以下、光路長と称す）を一定に保つようになっている。なお、第２のミラー２２は、第１の筐体部１０と第２の筐体部２０とのいずれか一方に設けられていればよい。
【００１９】
また、この第２の筐体部２０には、第１キャリッジ１２および第２キャリッジ２３を移動させるための図示しないキャリッジ移動手段が設けられている。
キャリッジ移動手段は、駆動モータと、この駆動モータと第１キャリッジ１２あるいは第２キャリッジ２３を連結する帯条体とからなるものである。
【００２０】
帯条体は、例えば薄板状の金属からなるもので、断面が円弧状に曲成されており、その長手方向の途中に一定の圧力が加わった際には弾性的に湾曲するが、通常時には座屈することなく直線状態を保持するように形成されたものである。ただし、帯条体ではなく、駆動ベルトや駆動ワイヤ等によって、駆動モータと第１キャリッジ１２あるいは第２キャリッジ２３との間を連結してもよい。
【００２１】
以上のような構成により、本装置では、引き出した状態において、第１キャリッジ１２がプラテンガラス１１に沿って略水平方向に移動し、プラテンガラス１１上に載置された原稿に対する走査を行うようになっている。この走査の結果、ランプ１２ａの照射による原稿からの反射光が得られると、第１のミラー１２ｂは、その反射光の光軸方向を変えて、これを第２のミラー２２に入射させる。反射光が入射されると、第２のミラー２２は、その反射光が第２キャリッジ２３へ至るように光軸方向の変更を行う。そして、第２キャリッジ２３では、第３のミラー２３ａおよび第４のミラー２３ｂがその反射光の光軸方向を変えて、レンズ２４を介してＣＣＤセンサ２５に入射させる。これにより、プラテンガラス１１上に載置された原稿の画像は、ＣＣＤセンサ２５によって読み取られる。
【００２２】
このように、本装置では、引き出した状態において、第１キャリッジ１２がプラテンガラス１１上の原稿を走査することによって、原稿固定型の画像読取装置として機能するようになっている。
【００２３】
次に、本装置を折り畳んだ状態、すなわち原稿移動型の画像読取装置として機能する場合について説明する。
図２に示すように、本装置は、折り畳んだ状態において、第１の筐体部１０および第２の筐体部２０の長手方向が、共に略鉛直となる。このとき、例えば、第１の筐体部１０の短手方向断面を凸形状にし、第２の筐体部２０の短手方向断面を凹形状にし、さらにはこれら凸形状と凹形状とが互いに嵌合するように構成すれば、折り畳んだ状態における省スペース化の実現に好適となる。
【００２４】
また、本装置は、第２の筐体部２０の上方に、原稿送り部３０が設置されている。
原稿送り部３０は、読み取り対象となる原稿が積重される図示しない給紙トレイと、読み取り済の原稿が排出される図示しない排紙トレイと、給紙トレイにセットされた原稿を順次繰り出して一定速度で搬送しながら排紙トレイに排出するための搬送ローラ３１とを備えているものである。
【００２５】
このような原稿送り部３０と第２の筐体部２０との間、すなわち第２の筐体部２０の上端面には、原稿読み取り窓２６が設けられている。
原稿読み取り窓２６は、原稿送り部３０によって搬送される原稿から、この原稿上の画像を読み取るためもので、第３のミラー２３ａへの入射光軸上に設けられているものである。
【００２６】
ところで、本装置では、折り畳んだ状態において、第１キャリッジ１２が予め定められた基準位置に位置するようになっている。
基準位置とは、第１キャリッジ１２のランプ１２ａが、原稿読み取り窓２６を介して、原稿送り部３０によって搬送される原稿を照射することが可能となる位置であり、第１キャリッジ１２が移動可能な範囲内における第２の筐体部２０側端に相当する位置である。この基準位置への移動は、第１の筐体部１０内の摺動レールに連続する第２の筐体部２０内の摺動レールに案内された状態で、キャリッジ移動手段によって行われるようになっている。
【００２７】
第１キャリッジ１２が基準位置に位置する場合に、第２のミラー２２は、第１キャリッジ１２と干渉しないように、予め定められた退避位置に移動している。この移動（図中左側への移動）は、図示しない光軸制御手段によって行われる。
【００２８】
光軸制御手段は、例えば、第２のミラー２２を図中右方向に付勢するバネ等の弾性体と、第１キャリッジ１２の摺動レール付近に設けられたストッパ機構とからなるもので、キャリッジ移動手段が第１キャリッジ１２を基準位置に移動させると、弾性体およびストッパ機構の作用により、第２のミラー２２を退避位置に移動させるものである。
【００２９】
また、光軸制御手段は、第１キャリッジ１２が基準位置に位置していると、その第１キャリッジ１２が搭載する第１のミラー１２ｂについても、第２のミラー２２と同様に、予め定められた退避位置、例えば第１キャリッジ１２内における第１の筐体部１０側の位置、に移動（図中右側へ移動）させるようになっている。
【００３０】
なお、光軸制御手段におけるストッパ機構については、周知技術を利用したものであるため、ここでは詳細な説明を省略する。このような周知技術を利用することで、第１のミラー１２ｂおよび第２のミラー２２の退避位置への移動が、簡素な構成によって実現できるようになる。また、ここでは、第１のミラー１２ｂあるいは第２のミラー２２をバネ等の弾性体によって付勢する場合を例に挙げたが、例えば磁石等の磁力を用いて付勢したり、機械的なラッチ機構を用いて付勢するようにしてもよい。
【００３１】
さらには、光軸制御手段は、ストッパ機構を利用したものではなく、例えば第２のミラー２２を付勢する弾性体と、この第２のミラー２２と第１の筐体部１０とを連結するリンク機構とからなり、第１の筐体部１０が折り畳まれると、弾性体およびリンク機構の作用により、第２のミラー２２を退避位置に移動させるものであってもよい。この場合には、第１キャリッジ１２が基準位置に位置していても、第１の筐体部１０が折り畳まれなければ、第１のミラー１２ｂおよび第２のミラー２２が退避位置に移動されることがない。つまり、第１キャリッジ１２が移動する都度、第１のミラー１２ｂおよび第２のミラー２２が退避してしまうようなことがないので、位置決め精度や振動の影響などによる機構の大型化を防ぐことができるようになる。
【００３２】
以上のような構成により、本装置では、折り畳んだ状態において、原稿送り部３０が給紙トレイから排紙トレイへ原稿を搬送すると、基準位置にある第１キャリッジ１２のランプ１２ａが搬送される原稿を照射するとともに、この原稿によって得られる原稿からの反射光が、原稿読み取り窓２６を介して、第２の筐体部２０内に入射される。
【００３３】
このとき、第１のミラー１２ｂおよび第２のミラー２２は、それぞれ退避位置に移動している。したがって、第２の筐体部２０内に入射された原稿からの反射光は、第１のミラー１２ｂや第２のミラー２２によって光軸方向が変えられることなく、直接第３のミラー２３ａへ入射する。そして、その反射光は、第４のミラー２３ｂおよびレンズ２４を経て、ＣＣＤセンサ２５によって読み取られる。このとき、第２キャリッジ２３では、第２の筐体部２０内を略鉛直方向に移動することによって、原稿からＣＣＤセンサ２５までの光路長を、引き出した状態、すなわち原稿固定型の画像読取装置として機能する場合と同一に保つようになっている。
【００３４】
このように、本装置では、折り畳んだ状態において、原稿送り部３０が原稿を搬送することによって、その原稿が走査され、原稿移動型の画像読取装置として機能するようになっている。なお、この折り畳みの際には、第１キャリッジ１２が基準位置に位置していなければ折り畳めないように、インタロック制御を行ってもよい。
【００３５】
以上に説明したように、本装置は、引き出した状態において、原稿固定型の画像読取装置として機能するようになっている。ただし、本装置では、ランプ１２ａおよび第１のミラー１２ｂを搭載する第１キャリッジ１２が、第１の筐体部１０内に格納され、第３のミラー２３ａと第４のミラー２３ｂとを搭載する第２キャリッジ２３、レンズ２４、およびＣＣＤセンサ２５が、第２の筐体部２０内に格納されている。したがって、これらが装置外に露出してしまうことがないので、原稿に対する走査速度が変動してしまうことがなく、高画質の読み取りが実現できるようになる。しかも、誤って手などで触れてしまう恐れもなくなり、安全性の面で問題が生じることもなくなる。また、本装置では、第１の筐体部１０と第２の筐体部２０とが回動可能に連結されているので、未使用時には折り畳んだ状態にしておくことができ、小さな占有面積で設置することが可能となる。
つまり、本装置では、高画質の読み取りを確実に実現でき、しかも小さな占有面積で設置することができるようになる。
【００３６】
また、本装置では、第１の筐体部１０にプラテンガラス１１が設けられるとともに、このプラテンガラス１１に沿って第１キャリッジ１２が移動することにより、引き出した状態における原稿固定型の画像読取装置としての機能を実現するようになっている。よって、本装置では、綴じた原稿に対する読み取りが可能になるとともに、読み取り対象となる原稿の正確な位置決めが容易となり、ユーザにとっては使い勝手の良いものとなる。しかも、原稿読み取りにあたって、原稿を載置しておく台（例えば机）等を必要としないので、結果として汎用性の高いものとすることができる。
【００３７】
また、本装置では、原稿送り部３０、基準位置にある第１キャリッジ１２、および光軸制御手段を備えることによって、折り畳んだ状態において、原稿移動型の画像読取装置として機能するようになっている。つまり、本装置は、第１の筐体部１０を第２の筐体部２０から引き出した状態で原稿固定型の画像読取装置としての機能し、第１の筐体部１０と第２の筐体部２０とを折り畳んだ状態で原稿移動型の画像読取装置としての機能するようになっている。
したがって、オフィス等で多く用いられるシート状の原稿については、折り畳んだ状態で読み取ることができるため、例えば作業机の横などに立てて設置しておけば、余分な面積を占有してしまうことがない。また、綴じた原稿に対する読み取りを行う場合や、高画質の読み取りが必要な場合には、第１の筐体部１０を第２の筐体部２０から引き出して原稿固定型の画像読取装置として使用するといったこともできるので、ユーザにとっては非常に便利なものとなる。
つまり、本装置は、原稿固定型と原稿移動型とのそれぞれの利点を兼ね備えた画像読取装置であると言える。
【００３８】
また、本装置では、光軸制御手段が第１のミラー１２ｂと第２のミラー２２とのそれぞれを退避位置に移動させることにより、折り畳んだ状態における原稿移動型の画像読取装置としての機能を実現するようになっている。しかも、光軸制御手段は、周知技術を利用したストッパ機構あるいはリンク機構によって実現されるようになっている。つまり、本装置では、複雑な機構を用いることなく、原稿固定型と原稿移動型とのそれぞれの利点を兼ね備えることが実現可能になっている。
【００３９】
なお、本実施の形態では、本発明をスキャナ装置に適用した場合を例に挙げて説明したが、本発明はこれに限定されるものではない。例えば、プリンタエンジン等の画像形成装置と組み合わせることにより、設置面積の小さなデジタル複写機として構成することもできる。また、ファクシミリ装置に適用する場合であっても同様である。
【００４０】
【発明の効果】
以上に説明したように、本件発明の画像読取装置は、原稿固定型の画像読取装置としての機能と、原稿移動型の画像読取装置としての機能を有し、プラテンガラスを有する第１の筐体部を第２の筐体部と回動可能に連結しているので、必要に応じて第１の筐体部を回動させることによってプラテンガラス上に載置された原稿を読み取る原稿固定型の画像読取装置として機能させることができる。したがって、例えば、オフィス等で多く用いられるシート状の原稿については、折り畳んだ状態で読み取ることができるため、例えば作業机の横などに立てて設置しておけば、余分な面積を占有してしまうことがない。また、綴じた原稿に対する読み取りを行う場合や、高画質の読み取りが必要な場合には、第１の筐体部を第２の筐体部から引き出して原稿固定型の画像読取装置として使用するといったこともできるので、ユーザにとっては非常に便利なものとなる。
【図面の簡単な説明】
【図１】本発明に係わる画像読取装置の実施の形態の一例を示す図であり、第１の筐体部を引き出した状態の断面を示す概略構成図である。
【図２】図１の画像読取装置において、第１の筐体部と第２の筐体部とを折り畳んだ状態の断面を示す概略構成図である。
【図３】一般的な原稿固定型の画像読取装置を示す概略構成図である。
【符号の説明】
１０…第１の筐体部、１１…プラテンガラス、１２…第１キャリッジ、１２ａ…ランプ、１２ｂ…第１のミラー、２０…第２の筐体部、２２…第２のミラー、２３…第２キャリッジ、２３ａ…第３のミラー、２３ｂ…第４のミラー、２４…レンズ、２５…ＣＣＤセンサ、３０…原稿送り部、３１…搬送ローラ
【図１】
0003624641.tif 000002
【図２】
0003624641.tif 000003
【図３】
0003624641.tif 000004